(57)【要約】【課題】エスカレーターのハンドベルトの内部への雨水の浸入を防ぐことができる。【解決手段】エスカレーターの手摺２０の端部２０ａをシート２で覆う。シート２は手摺２０の内側に沿う第一のシートと移動手摺に沿う第二のシートとから形成される。第一のシートに備えられた固定用磁石３を手摺２０の内側板２６に吸着させて、ハンドベルトの表面に沿う形状の固定部材４をシート２の上からハンドベルトにはめ込んでシート２を手摺２０へ固定する。【選択図】図２
2010143748.tif 000002
【特許請求の範囲】
【請求項１】
停止状態のエスカレーターにおいて、前記エスカレーターの手摺外周部に設置された移動手摺内への雨水の浸入を防ぐために前記エスカレーター手摺の端部に装着されるエスカレーター用防水カバーであって、
前記手摺の内側面に沿って配設される第一のシートと、前記移動手摺に沿って配設される第二のシートとから構成されるシート部と、
前記第一のシートに備えられた固定用磁石と、
前記移動手摺の表面に沿う形状の固定部材と、
から構成されて、前記エスカレーター用防水カバーは前記固定用磁石が前記手摺の内側板に吸着し、前記固定部材が前記シート部と前記移動手摺とを一体に挟持することによって前記手摺に固定されることを特徴とするエスカレーター用防水カバー。
【請求項２】
前記固定用磁石は前記固定用磁石の寸法よりも大きな相互間隔で並んでいることを特徴とする請求項１に記載のエスカレーター用防水カバー。
【請求項３】
前記エスカレーター用防水カバーは裏返して使用可能であることを特徴とする請求項１または２に記載のエスカレーター用防水カバー。
【請求項４】
前記第一のシートには空気抜き穴が設けられていることを特徴とする請求項１乃至３に記載のエスカレーター用防水カバー。
【請求項５】
停止状態のエスカレーターにおいて、前記エスカレーターの手摺外周部に設置された移動手摺内への雨水の浸入を防ぐために前記エスカレーター手摺の端部に装着されるエスカレーター用防水カバーに備える固定部材であって、
前記移動手摺の横断面の輪郭に沿う形状で、前記移動手摺を覆う前記エスカレーター用防水カバーのシート部を前記移動手摺と一体に挟持することを特徴とするエスカレーター用防水カバーの固定部材。
【請求項６】
前記エスカレーター用防水カバーの固定部材は、前記シート部を前記移動手摺と一体に挟持する挟持部と、前記手摺の外側に配設されたデッキプレートとの間で前記シート部をはさむ押さえ部とからなることを特徴とする請求項５に記載のエスカレーター用防水カバーの固定部材。
【発明の詳細な説明】
【技術分野】
【０００１】
本発明は、エスカレーターの移動手摺の内側へ雨水が侵入することを防ぐためのエスカレーター用防水カバーおよびエスカレーター用防水カバーの固定部材に関する。
【背景技術】
【０００２】
従来、駅のホームなどに設置されたエスカレーターには、ほとんどの場合その上方に屋根が設置されており、この屋根がエスカレーターに雨水がかかることを防いでいる。しかし、台風などの暴風雨時には雨水がエスカレーターへ直接吹き込んでしまい、特にエスカレーターの手摺の端部で、エスカレーターの外周を移動する移動手摺が１８０°回転する折り返し部分では、表面が下側を向いた移動手摺のハンドベルトの内側へ雨水が浸入している。
そして、このハンドベルトの内側への雨水の浸入によって、移動手摺を駆動させる駆動源とハンドベルトとの摩擦力が低下し、ハンドベルトがスリップしてしまうことがあるため、安全装置が作動しエスカレーターが停止する事例が発生している。
また、ハンドベルトの内側は帆布で形成されているので、この帆布が雨水を含むと乾燥させなければならず、長時間の多量の雨水によりハンドベルトの内側への浸水量が増すと、ハンドベルトの内側の帆布を乾燥させるために多大な時間と労力が必要であった。そして、エスカレーターの復旧に時間がかかり使用者は不便であった。
【０００３】
そこで、降雨下での使用を前提とした、防水対策の施された屋外仕様のエスカレーターが提案されている。また、特許文献１によれば図９に示すように、停止状態のエスカレーターのハンドベルト３１に被せられて、駆動源３２とハンドベルト３１との隙間を塞ぐ雨水阻止部材３３備えたエスカレーター用防水装置３０が提案されている。このエスカレーター用防水装置３０は表面が下側を向いたハンドベルト３１の内部に雨水３４が浸入することを防いでいる。
【特許文献１】特開２００３−５４８６７号公報
【発明の開示】
【発明が解決しようとする課題】
【０００４】
しかしながら、従来のエスカレーターの防水対策では以下のような問題があった。
屋外仕様エスカレーターの設置は、エスカレーターを新設する場合であればその導入を検討すればよいが、使用中の既設のエスカレーターを屋外使用エスカレーターへ交換することや、また部分的に屋外仕様へ改修することは、交換や改修作業にかかるコストや労力および期間の面から現実的ではないという問題があった。また、特許文献１によるエスカレーター用防水装置３０は、暴風雨などで雨水量が限度を超えた場合には、ハンドベルト内部への浸水は防止できなかった。
【０００５】
本発明は、上述する問題点に鑑みてなされたもので、容易で確実にエスカレーターのハンドベルトの内側への浸水を防ぐことができるエスカレーター用防水カバーおよびエスカレーター用防水カバーの固定部材を提供することを目的とする。
【課題を解決するための手段】
【０００６】
上記目的を達成するため、本発明に係るエスカレーター用防水カバーは、停止状態のエスカレーターにおいて、エスカレーターの手摺外周部に設置された移動手摺内への雨水の浸入を防ぐためにエスカレーター手摺の端部に装着されるエスカレーター用防水カバーであって、手摺の内側面に沿って配設される第一のシートと、移動手摺に沿って配設される第二のシートとから構成されるシート部と、第一のシートに備えられた固定用磁石と、移動手摺の表面に沿う形状の固定部材とから構成されて、エスカレーター用防水カバーは固定用磁石が手摺の内側板に吸着し、固定部材がシート部と移動手摺とを一体に挟持することによって手摺に固定されることを特徴とする。
本発明では、エスカレーター用防水カバーは、シート部が移動手摺と手摺の内側板とを覆い、固定用磁石および固定部材によって固定される構成なので、手摺の端部には雨水がかからず、特に、移動手摺の内部への雨水の浸入を防ぐことができる。また、エスカレーター用防水カバーの設置は、手摺の端部にシート部を被せて、固定用磁石および固定部材で固定すればよいので、容易に設置することができて、取り外しも行い易い。
【０００７】
また、本発明に係るエスカレーター用防水カバーでは、固定用磁石は固定用磁石の寸法よりも大きな相互間隔で並んでいることが好ましい。
本発明では、固定用磁石が固定用磁石の寸法よりも大きな相互間隔で並んでいることにより、磁石の向きを変更することができる。
【０００８】
また、本発明に係るエスカレーター用防水カバーでは、エスカレーター用防水カバーは裏返して使用可能であることを特徴とする。
本発明では、エスカレーター用防水カバーは裏返して使用可能なことにより、エスカレーターの手摺の左右勝手に関わらず使用することができる。
【０００９】
また、本発明に係るエスカレーター用防水カバーでは、第一のシートには空気抜き穴が設けられていることが好ましい。
本発明では、第一のシートには空気抜き穴が設けられていることにより、第一のシートと手摺との間に、例えば暴風などによって空気が入り込んだ場合にも、空気抜き穴から空気の排出ができて、第一のシートが外れたり緩むことを防ぐことができる。
【００１０】
また、本発明に係るエスカレーター用防水カバーの固定部材は、停止状態のエスカレーターにおいて、エスカレーターの手摺外周部に設置された移動手摺内への雨水の浸入を防ぐためにエスカレーター手摺の端部に装着されるエスカレーター用防水カバーに備える固定部材であって、移動手摺の横断面の輪郭に沿う形状で、移動手摺を覆うエスカレーター用防水カバーのシート部を移動手摺と一体に挟持することを特徴とする。
本発明では、エスカレーター用防水カバーの固定部材は、移動手摺の横断面の輪郭に沿う形状で、シート部を移動手摺と一体に挟持するので、シート部を容易に固定できると共にエスカレーター用防水カバーの固定部材の脱着が行い易い。
【００１１】
また、本発明に係るエスカレーター用防水カバーの固定部材では、エスカレーター用防水カバーの固定部材は、シート部を移動手摺と一体に挟持する挟持部と手摺の外側に配設されたデッキプレートとの間でシート部をはさむ押さえ部とからなることが好ましい。
本発明では、エスカレーター用防水カバーの固定部材の挟持部がシート部を移動手摺に固定し、押さえ部がデッキプレートとの間にシート部を挟むので、移動手摺の内側と、外側のデッキプレートからの浸水を確実に防ぐことができる。
【発明の効果】
【００１２】
本発明によれば、エスカレーター用防水カバーで移動手摺の折り返し部分を覆い、磁石と固定部材で固定する構成なので、簡単な作業で暴風雨時などにも移動手摺のハンドベルトの内部に雨水が浸入することを防ぐことができるエスカレーター用防水カバーおよびエスカレーター用防水カバーの固定部材を実現することができる。
【発明を実施するための最良の形態】
【００１３】
以下、本発明の実施の形態によるエスカレーター用防水カバーおよびエスカレーター用防水カバーの固定部材について、図１乃至図６に基づいて説明する。
図１（ａ）は、エスカレーターの手摺を示す側面図、（ｂ）は（ａ）に示すエスカレーター手摺の正面図、図２（ａ）は図１に示すエスカレーターに設置された本発明の実施の形態によるエスカレーター防水カバーの一例を示す側面図、（ｂ）は（ａ）に示すエスカレーターに設置されたエスカレーター用防水カバーの正面図、図３は図２に示すエスカレーター用防水カバーの斜視図、図４は図３に示すエスカレーター用防水カバーに備える固定用磁石ポケットの詳細を示す図、図５はエスカレーター用防水カバーに備える固定部材の一例を表す斜視図、図６は図２（ａ）のＡ−Ａ線断面図である。
【００１４】
本実施の形態によるエスカレーター用防水カバーは、図１（ａ）、（ｂ）に示すような、台風などの暴風雨時には雨水が吹き込む、例えば駅のホームなどの、不完全な屋内に配設されているエスカレーターの手摺２０の端部２０ａに、エスカレーターが停止の状態で設置される。
エスカレーターの手摺２０の端部２０ａでは、手摺２０の外周に沿って移動する移動手摺２１は半円を描くように折り返されており、手摺２０の下側に設けられた移動手摺出入口２２へ入り込む、若しくは移動手摺出入口２２から出てくる構造である。
移動手摺２１は手摺２０の外周を移動する駆動源２３と、駆動源２３に被せられる断面形状がＣ型で内側が帆布で形成されたハンドベルト２４とから構成されている。手摺２０の外側には手摺２０を支えるデッキプレート２５が設けられて、手摺２０の内側には、例えばステンレス製の内側板２６が設けられている。
【００１５】
図２（ａ）、（ｂ）に示すように、本実施の形態によるエスカレーター用防水カバー１ａは、エスカレーターの手摺２０の端部２０ａを覆うシート２と、シート２に備えられた固定用磁石３と、ハンドベルト２４の断面に沿った形状の固定部材４とから概略構成される。そして、エスカレーター用防水カバー１ａは、シート２が手摺２０の端部２０ａの移動手摺２１および内側板２６に被せられて、固定用磁石３が手摺２０の内側板２６に吸着し、固定部材４がシート２の上からハンドベルト２４へ被せられる。
【００１６】
図２（ａ）、（ｂ）および図３に示すように、シート２は、例えば静電気防止剤をコートした透明なポリ塩化ビニルシートの片面にカーボングリッド８をプリントした導電性シートなどで、その厚みは０．０３ｍｍ程である。シート２は、手摺２０の内側に沿って配設される第一のシート１１と、移動手摺２１に沿って配設される第二のシート１２とから形成される。
【００１７】
第一のシート１１は、手摺２０の端部２０ａの側面の形状に合わせて、横方向の一方の端部１１ａが円弧状で、他方の端部１１ｂが直線の半長円形状に形成されている。そして、第一のシート１１の横方向の長さＬ１は、手摺２０の端部２０ａにエスカレーター用防水カバー１ａが設置された際に、端部１１ｂが移動手摺出入口２２よりも手摺２０の奥側へ達して、移動手摺出入口の側面を十分に覆うことができる長さである。
また、第一のシート１１の端部１１ｂは、折り返し部分が設けられて、この折り返し部分を複数の袋状に縫い合わせて固定用磁石３を挿入する固定用磁石ポケット５が形成されている。また、第一のシート１１には、口径が１０ｍｍほどの空気抜き穴６が２箇所設けられており、この空気抜き穴６は、例えばハトメ処理などが施されて補強されている。
【００１８】
第二のシート１２は、その幅Ｄ２が、例えば２５０〜３００ｍｍ程度の帯状に形成されている。第二のシート１２の長さＬ２は、エスカレーターの手摺２０の端部２０ａに設置された際に、端部２０ａの移動手摺２１および移動手摺出入口２２を覆うことが可能な長さとする。
このように形成された第一および第二のシート１１、１２は、それぞれの端部が縫い合わされてシート２を形成する。
【００１９】
第二のシート１２の任意の位置には、例えばエスカレーターが停止している旨の注意や案内のメッセージなどを記載したメッセージシートを挿入できる任意の大きさのメッセージシートポケット７が設けられている。メッセージシートポケット７は、例えば透明なポリ塩化ビニルシートなどを第二のシート１２に重ねて袋状に縫い合わせて形成される。また、メッセージシートポケット７は第一のシート１１に同様に設けてもよい。
【００２０】
固定用磁石３は、所定の大きさの角型の磁石の片面に鉄製（強磁性体）のキャップが被せられたキャップ磁石で、吸着面３ａが片面のみとして片面の吸着力を大きくした磁石である。磁石の吸着面を片面とすることで磁石の吸着力を増大させる。固定用磁石３は、第一のシート１１に設けられた複数の固定用磁石ポケット５に１つずつその吸着面３ａを合わせて挿入される。
図４に示すように、固定用磁石ポケット５は、その開口部５ａが固定用磁石ポケット５の側面に形成されており、固定用磁石３は、図４中の矢印のように横方向から開口部５ａに挿入されて縦方向に移動して収容部５ｂに収容される構造である。
【００２１】
図５に示すように、固定部材４は、例えば硬質塩ビ等の弾性変形可能な３０〜５０ｍｍ幅の帯状のプラスチック素材を加工したもので、ハンドベルト２４の輪郭に沿う形状の略Ｃ字型断面の挟持部４ａと、駆動減２３およびデッキプレート２５の連結部分に沿う形状の略Ｌ字型断面の押さえ部４ｂとから構成されている。
図６に示すように、挟持部４ａは、シート２の上からハンドベルト２４へはめ込まれて、シート２とハンドベルト２４とを一体に挟持し、挟持部４ａの脱着を繰り返してもその形状が変形しない強度を有するものとする。押さえ部４ｂは、図６の矢印方向に弾性変形した状態で装着されることにより、デッキプレート２５上に設置されるシート２をデッキプレート２５へ押さえ付けることができる。
【００２２】
上述したエスカレーター用防水カバー１ａの設置方法は、停止状態のエスカレーターの手摺２０の端部２０ａに、まず、第一のシート１１が手摺２０内側の側面に沿い、第二のシート１２が移動手摺２１および手摺２０外側のデッキプレート２５に沿うようにシート２を被せる。そして、固定用磁石３を手摺２０の内側板２６に吸着させると共に、固定部材４の挟持部４ａをシート２の上からハンドベルト２４にはめ込んでシート２を固定する。このとき、固定部材４の押さえ部４ｂでシート２をデッキプレート２５へ押さえる。
そして、シート２と内側板２６やハンドベルト２４、デッキプレート２５との間に隙間ができないように固定用磁石３および固定部材４の位置を適宜調整する。
【００２３】
また、エスカレーターの手摺２０はエスカレーターの踏み板の左右で左右対称の形状をしているため、図１に示すエスカレーターと手摺２０の形状が左右対称の場合には、図７に示すように、シート２を裏返し、固定用磁石３の吸着面３ａの向きを逆に入れ替えたエスカレーター用防水カバー１ａを設置する。このとき、メッセージシートポケット７内のメッセージシートも必要に応じて向きを入れ替える。
【００２４】
次に、上述したエスカレーター用防水カバーの作用効果について図面を用いて説明する。
本実施の形態によるエスカレーター用防水カバー１ａでは、シート２は手摺２０の端部２０ａの移動手摺２１と移動手摺２１と連続するデッキプレート２５および内側板２６を覆い、固定用磁石３および固定部材４によって固定される構成なので、手摺２０の端部２０ａには雨水がかからず、特に、移動手摺出入口２２付近で表面が下向きのハンドベルト２４の内部への雨水の浸入を防ぐことができる作用効果を奏する。また、エスカレーター用防水カバー１ａの設置は、シート２を手摺２０の端部２０ａに被せて、固定用磁石３および固定部材４で固定すればよいので、容易に設置することができる。
【００２５】
また、エスカレーター用防水カバー１ａは裏返して使用することができるので、左右対称で勝手の異なる左右のエスカレーターの手摺２０にも、同じエスカレーター用防水カバー１ａを使用することができる。
また、シート２には空気抜き穴６が設けられているので、シート２と手摺２０との間に、例えば暴風などによって空気が入り込んだ場合にも、空気抜き穴６から空気の排出ができて、シート２が外れたり緩むことがなく、シート２内への雨水の浸入を防ぐことができる。また、シート２は帯電防止加工がされているので、静電気の発生を防止することができる。
【００２６】
次に、本発明による実施の形態の変形例について、添付図面に基づいて説明するが、上述の実施の形態と同一又は同様な部材、部分には同一の符号を用いて説明を省略し、実施の形態と異なる構成について説明する。
図８は、本発明の実施の形態によるエスカレーター用防水カバーの他の一例を示す図である。
図８に示すように、エスカレーター用防水カバー１ｂでは、第一のシート１１の端部１１ｂに吸着面３ａが交互となるように固定用磁石３を配列し、シート２を裏返して使用する際にも、固定用磁石３の吸着面３ａの向きを変えずに使用できるものである。
【００２７】
以上、本発明によるエスカレーター用防水カバーの実施の形態について説明したが、本発明は上記の実施の形態に限定されるものではなく、その趣旨を逸脱しない範囲で適宜変更可能である。
例えば、上述した実施の形態では、シート２は透明で帯電防止のカーボングリッド８をプリントしてあるが、シート２は透明でなくてもよく、カーボングリッドがプリントされていなくてもよい。また、上記の実施の形態では、第一のシート１１と第二のシート１２を縫い合わせているが、例えば接着剤などで接着されてもよい。
また、本実施の形態では、固定用磁石３は吸着面３ａが片面の磁石であるが両面を吸着面とする磁石を使用してもよい。
要は、本発明において所期の機能が得られればよいのである。
【図面の簡単な説明】
【００２８】
【図１】（ａ）は、エスカレーターの手摺を示す側面図、（ｂ）は（ａ）に示すエスカレーター手摺の正面図である。
【図２】（ａ）は図１に示すエスカレーターに設置された本発明の実施の形態によるエスカレーター防水カバーの一例を示す側面図である。
【図３】図２に示すエスカレーター用防水カバーの斜視図である。
【図４】図３に示すエスカレーター用防水カバーに備える固定用磁石ポケットの詳細を示す図である。
【図５】エスカレーター用防水カバーに備える固定部材の一例を表す斜視図である。
【図６】図２（ａ）のＡ−Ａ線断面図である。
【図７】裏返したエスカレーター用防水カバーの斜視図である。
【図８】本発明の実施の形態によるエスカレーター用防水カバーの他の一例を示す斜視図である。
【図９】従来のエスカレーター用防水装置を示す図である。
【符号の説明】
【００２９】
１ａ、１ｂ  エスカレーター用防水カバー
２  シート（シート部）
３  固定用磁石
３ａ  吸着面
４  固定部材
６  空気抜き穴
１１  第一のシート
１２  第二のシート
２０  手摺
２０ａ  端部
２１  移動手摺
２４  ハンドベルト
２６  内側板
【図１】
2010143748.tif 000003
【図２】
2010143748.tif 000004
【図３】
2010143748.tif 000005
【図４】
2010143748.tif 000006
【図５】
2010143748.tif 000007
【図６】
2010143748.tif 000008
【図７】
2010143748.tif 000009
【図８】
2010143748.tif 000010
【図９】
2010143748.tif 000011